(57)【要約】【課題】電子コンテンツと手書き内容とを、容易に区別することが可能なようにグループ化できると共に、記載されたコメントを参加者別に区別できる等、記載されている情報を、種々の観点からグループ化可能な入力表示装置を提供する。【解決手段】文字及び画像を表示する表示面を備えたパネル状の表示手段２と、該表示手段２の表示面の表示が透視可能に、該表示手段２の表示面に重ねて設けられたタッチパネル入力手段３とで構成されると共に、該タッチパネル入力手段３で文字及び画像がタッチ入力された手書入力情報が、表示手段２の表示面におけるタッチ入力された位置と略同位置に表示される入力表示装置１において、手書入力情報は、該手書入力情報に付与される識別情報に基づき、グループ化されて１つの表示情報グループとされるように、入力表示装置１を構成する。【選択図】図１
2009187218.tif 000002
【特許請求の範囲】
【請求項１】
文字及び画像を表示する表示面を備えたパネル状の表示手段と、該表示手段の表示面の表示が透視可能に、該表示手段の表示面に重ねて設けられたタッチパネル入力手段とで構成されると共に、該タッチパネル入力手段で文字及び画像がタッチ入力された手書入力情報が、前記表示手段の表示面におけるタッチ入力された位置と略同位置に表示される入力表示装置であって、
前記手書入力情報は、該手書入力情報に付与される識別情報に基づき、グループ化されて１つの表示情報グループとされることを特徴とする入力表示装置。
【請求項２】
請求項１記載の入力表示装置において、
電子化された情報を入力する電子情報入力手段を備えており、
該電子情報入力手段により入力された電子入力情報は、前記表示手段の表示面に表示されると共に、該電子入力情報に対して、該電子入力情報を１つの表示情報グループにグループ化する電子情報を表す識別情報が付与される入力表示装置。
【請求項３】
請求項１又は２記載の入力表示装置において、
前記手書入力情報に対して付与される識別情報は、該手書入力情報が入力される時点から最も近い過去の時点において、指定された識別情報が用いられる入力表示装置。
【請求項４】
請求項３記載の入力表示装置において、
単又は複数の前記識別情報は、前記手書入力情報を入力する入力操作者を表している入力表示装置。
【請求項５】
請求項１又は２記載の入力表示装置において、
前記手書入力情報に対して付与される識別情報は、該手書入力情報が入力された後に、最初に指定された識別情報が用いられる入力表示装置。
【請求項６】
請求項５記載の入力表示装置において、
前記識別情報は、１つの識別情報で時間経過の区切を表していると共に、
該区切識別情報の指定は、繰返して指定可能であり、繰返して指定される毎に、該区切識別情報が付与された手書入力情報に対して、新たなグループ化が行われる入力表示装置。
【請求項７】
請求項６記載の入力表示装置において、
時刻取得手段を備えており、
前記時刻取得手段により、前記時間経過の区切を表している識別情報の指定時に該指定された時刻が取得されると共に、該取得された時刻が、グループ情報として新たにグループ化された表示情報グループに付与される入力表示装置。
【請求項８】
請求項３〜７のいずれか１項に記載の入力表示装置において、
前記識別情報の指定は、予め、前記表示手段の表示面に表示された単又は複数の前記識別情報のいずれか１つに対して、前記タッチパネル入力装置でタッチ入力されることにより、行われる入力表示装置。
【請求項９】
請求項１又は２記載の入力表示装置において、
前記手書入力情報に対して付与される識別情報は、あらかじめ定められた判断基準に基づいて、自動的に選択された識別情報が用いられる入力表示装置。
【請求項１０】
請求項９記載の入力表示装置において、
時刻取得手段を備え、該時刻取得手段により前記手書入力情報の入力時刻が取得されると共に、
前記判断基準として、複数の識別情報と１対１で対応する複数の時間帯情報が定められており、
前記手書入力情報が入力されると、前記時刻取得手段により取得された前記手書入力情報の入力時刻が属する時間帯情報と対応する識別情報が、入力された前記手書入力情報に付与される入力表示装置。
【請求項１１】
請求項１〜１０のいずれか１項に記載の入力表示装置において、
記録媒体として、記録用紙等の不透明な材質の不透明記録媒体と、ＯＨＰ紙等の透明な材質の透明記録媒体を収納していると共に、前記入力表示装置の前記表示手段に表示される表示情報をプリントするプリント手段を備えており、
前記表示情報グループが複数存在する場合に、前記表示情報グループを、前記表示情報グループ毎に異なる記録媒体にプリントすると共に、前記表示情報グループの内の、いずれか１つは、前記不透明記録媒体にプリントし、前記いずれか１つ以外の残りの表示情報グループは、前記透明記録媒体にプリントする入力表示装置。
【請求項１２】
請求項１１記載の入力表示装置において、
前記プリント手段に対するプリント関連情報入力手段を備えており、
前記プリント関連情報入力手段から入力されるグループ合体指示により、複数の前記表示情報グループを合体してプリントする入力表示装置。
【請求項１３】
請求項１１又は１２記載の入力表示装置において、
前記プリント手段は、プリントする記録媒体の余白に、プリントする表示情報グループのグループ関連情報をプリントする入力表示装置。
【請求項１４】
請求項１１〜１３のいずれか１項に記載の入力表示装置において、
前記プリンタは、表示情報グループにおける線幅よりも、線幅が太く表現されるように、該表示情報グループをプリントする入力表示装置。
【請求項１５】
請求項１１〜１３のいずれか１項に記載の入力表示装置において、
前記プリンタは、表示情報グループにおける線幅よりも、線幅が細く表現されるように、該表示情報グループをプリントする入力表示装置。
【請求項１６】
請求項１〜１５のいずれか１項に記載の入力表示装置において、
通信手段を介して外部装置が接続されており、
前記表示情報グループを前記外部装置へ送信可能である入力表示装置。
【発明の詳細な説明】
【技術分野】
【０００１】
本発明は、文字及び画像を表示する表示面を備えたパネル状の表示器と、該表示器の表示面の表示が透視可能に該表示器の表示面に重ねて設けられたタッチパネルとで構成される入力表示装置に関する。
【背景技術】
【０００２】
従来から、文字及び画像を表示する表示面を備えたパネル状の表示器と、該表示器の表示面の表示が透視可能に該表示器の表示面に重ねて設けられたタッチパネルとで構成される大画面のディスプレイを備えた入力表示装置が、会議等に用いられている。
【０００３】
この大画面のディスプレイを備えた入力表示装置には、この大画面のディスプレイに、特定の画像や原稿を表示すると共に、この表示された画像や原稿に対して、手書きによる入力として、タッチパネルに対するタッチペンによるタッチ入力を用いて、コメントを記入可能な入力表示装置が存在する（例えば、特許文献１参照）。
【０００４】
特許文献１は、上記のような入力表示装置を用いて、会議の進行、議事録の作成、承認、保管等を、統一して行うことができるシステムに関するものである。このシステムでは、入力表示装置の表示器における表示面の表示が、複数のレイヤで構成されている。そのため多くの情報を複数のレイヤで表示することにより、レイヤの切換で、これらの情報を瞬時に切換えて表示することができる。
【０００５】
又、この入力表示装置では、手書き内容に対応するレイヤと電子コンテンツに対応するレイヤとを備えていると共に、これらの手書き内容に対応するレイヤと電子コンテンツに対応するレイヤとを重ねて表示することにより、会議用の表示画面として、使用しやすい表示画面を提供している。
【特許文献１】特開２００７−１０８８６５号公報
【発明の開示】
【発明が解決しようとする課題】
【０００６】
しかしながら、上記の特許文献１に記載のような入力表示装置では、この入力表示装置の表示における手書き内容と電子コンテンツの内容とを印刷する場合、手書き内容に対応するレイヤと電子コンテンツに対応するレイヤとを合体して印刷している。そのため、電子コンテンツと手書き内容とが一体となって、電子コンテンツの内容が見づらく、明瞭に識別することができなくなるという問題があった。
【０００７】
又、会議に複数の参加者が参加している場合に、これらの複数の参加者がそれぞれ手書きでコメントを記入したような場合に、手書き内容に対応するレイヤに、全ての参加者のコメントが記載されることになるので、記載されたコメントを、参加者別に区別するのは、極めて困難であるという問題があった。
【０００８】
そこで、この発明は、このような問題を解決するためになされたものであって、電子コンテンツと手書き内容とを、容易に区別することが可能なようにグループ化できると共に、記載されたコメントを参加者別に区別できる等、記載されている情報を、種々の観点からグループ化可能な入力表示装置を提供しようとするものである。
【課題を解決するための手段】
【０００９】
図１は、本発明の入力表示装置１の基本構成を示したブロック図である。図１において、本発明の入力表示装置１は、文字及び画像を表示する表示面を備えたパネル状の表示手段２と、該表示装置の表示面の表示が透視可能に、該表示装置の表示面に重ねて設けられたタッチパネル入力手段３とで構成される。
【００１０】
この入力表示装置１では、上記のタッチパネル入力手段３で文字及び画像がタッチ入力された手書入力情報が、表示手段２の表示面におけるタッチ入力された位置と略同位置に表示される。
【００１１】
上記の入力表示装置１では、手書入力情報は、該手書入力情報に付与される識別情報に基づき、グループ化されて１つの表示情報グループとされることを特徴としている。
【００１２】
そのため、上記の入力表示装置１の表示装置における表示面の表示を記録媒体にプリントする際に、後述するように、表示情報グループ毎に、異なる記録媒体に記録することができる。従って、手書入力情報を、表示情報グループ毎に、容易に区別することが可能となると共に、手書入力情報における複数の情報を、後述するように、参加者別に区別する等、手書入力情報のグループ化を、種々の観点から行うことができる。
【００１３】
上記の入力表示装置１において、電子化された情報を入力する電子情報入力手段を備えると共に、該電子情報入力手段により入力された電子入力情報は、表示手段２の表示面に表示されると共に、該電子入力情報に対して、該電子入力情報を１つの表示情報グループにグループ化する電子情報を表す識別情報が付与されるようにしてもよい。
【００１４】
このようにすることにより、電子情報入力装置から入力される、例えば、上述した電子コンテンツのような文字及び画像情報を、独立した１つの表示情報グループとして取扱うことができる。従って、上述した電子コンテンツのような文字及び画像情報を、独立して印刷することができ、当該電子コンテンツの内容を明瞭に識別することができる。
【００１５】
又、上記の入力表示装置１において、手書入力情報に対して付与される識別情報は、該手書入力情報が入力される時点から最も近い過去の時点において、指定された識別情報が用いられるようにしてもよい。このようにすることにより、識別情報の手書入力情報に対する付与を、場合に応じて最適にすることができる。
【００１６】
この場合における識別情報としては、例えば、手書入力情報を入力する入力操作者を表す識別情報とするのである。このようにすることにより、手書入力情報を、入力した入力操作者別に、容易にグループ化することができる。
【００１７】
或いは、上記の入力表示装置１において、手書入力情報に対して付与される識別情報は、該手書入力情報が入力された後に、最初に指定された識別情報が用いられるようにしてもよい。このようにすることにより、識別情報の手書入力情報に対する付与を、場合に応じて最適にすることができる。
【００１８】
この場合における識別情報としては、例えば、１つの識別情報で、時間経過の区切を表している識別情報とするのである。この場合には、時間経過の区切を表している識別情報の指定は、繰返して指定可能であり、繰返して指定される毎に、上記の時間経過の区切を表している識別情報が付与された手書入力情報に対して、新たなグループ化が行われる。
【００１９】
このようにすることで、任意の時点において、時間経過の区切を表している識別情報の指定を行うことにより、手書入力情報をグループ化するのを、容易にすることができる。
【００２０】
識別情報として、上記の時間経過の区切を表している識別情報を用いる場合に、上記の入力表示装置１に時刻取得手段を備えると共に、時刻取得手段により、時間経過の区切を表している識別情報の指定時に該指定された時刻が取得されると共に、該取得された時刻が、グループ情報として新たにグループ化された表示情報グループに付与されるようにしてもよい。このようにすることにより、手書入力情報のグループ化が行われた時刻を、グループ情報として把握することができる。
【００２１】
又、上記の入力表示装置１において、上述した識別情報の指定が用いられる場合、識別情報の指定は、予め、表示装置の表示面に表示された単又は複数の識別情報のいずれか１つに対して、タッチパネル入力装置でタッチ入力されることにより、行われるのが好適である。このようにすることにより、識別情報の指定を、容易にすることができる。
【００２２】
又、上記の入力表示装置１において、手書入力情報に対して付与される識別情報は、あらかじめ定められた判断基準に基づいて、自動的に選択された識別情報が用いられるようにしてもよい。このようにすることにより、識別情報を付与するための識別情報の指定を省略することができる。
【００２３】
上記のあらかじめ定められた判断基準を用いる場合として、例えば、次のようにしてもよい。即ち、上記の入力表示装置１に、時刻取得手段を備え、該時刻取得手段により手書入力情報の入力時刻が取得されると共に、判断基準として、複数の識別情報と１対１で対応する複数の時間帯情報が定められており、手書入力情報が入力されると、時刻取得手段により取得された手書入力情報の入力時刻が属する時間帯情報と対応する識別情報が、入力された手書入力情報に付与されるようにするのである。
【００２４】
このようにすることにより、手書入力情報を、入力された時間帯別に、容易にグループ化することができる。
【００２５】
又、上記の入力表示装置１において、記録媒体として、記録用紙等の不透明な材質の不透明記録媒体と、ＯＨＰ紙等の透明な材質の透明記録媒体を収納していると共に、入力表示装置１の表示装置に表示される表示情報をプリントするプリント手段を備えるのが好適である。
【００２６】
このようなプリンタを備えている場合には、表示情報グループが複数存在する場合に、表示情報グループを、表示情報グループ毎に異なる記録媒体にプリントすると共に、表示情報グループの内の、いずれか１つは、不透明記録媒体にプリントし、該いずれか１つ以外の残りの表示情報グループは、透明記録媒体にプリントするようにする。
【００２７】
このようにすることにより、プリント済の記録用紙等の不透明記録媒体の上に、複数毎のプリント済のＯＨＰ紙等の透明記録媒体を重ねて見ることができ、上記の入力表示装置１において表示されていた全体を、容易に再現することができる。
【００２８】
又、上記のプリント手段を備え入力表示装置１において、該プリント手段に対するプリント関連情報入力手段を備えると共に、プリント関連情報入力手段から入力されるグループ合体指示により、複数の表示情報グループを合体してプリントするようにしてもよい。
【００２９】
このようにすることにより、複数の任意の表示情報グループを、容易に合体してプリントすることができ、複数の任意の表示情報グループを一体的に識別することができる。
【００３０】
又、上記のプリント手段を備え入力表示装置１において、プリント手段は、プリントする記録媒体の余白に、プリントする表示情報グループのグループ関連情報をプリントするようにしてもよい。
【００３１】
このようにすることにより、プリントされた表示情報グループのグループ関連情報を、容易に識別することができる。
【００３２】
又、上記のプリント手段を備え入力表示装置１において、プリンタは、表示情報グループにおける線幅よりも、線幅が太く表現されるように、該表示情報グループをプリントするようにしてもよい。
【００３３】
このようにすることにより、プリントされた表示情報グループの文字や画像の線を太く表現することができ、上述したように、プリントされた複数の記録媒体を重ねて見た場合に、例えば、コメント等を記載した表示情報グループの文字や画像の線を、太く表現することができることから、コメント等を強調することができ、プリントされた表示情報グループを見やすくすることができる。
【００３４】
又、上記のプリント手段を備え入力表示装置１において、プリンタは、表示情報グループにおける線幅よりも、線幅が細く表現されるように、該表示情報グループをプリントするようにしてもよい。
【００３５】
このようにすることにより、プリントされた表示情報グループの文字や画像の線を細く表現することができ、上述したように、プリントされた複数の記録媒体を重ねて見た場合に、例えば、コメント等を記載した表示情報グループの文字や画像の線を、細く表現することができることから、コメント等を目立たなくすることができ、プリントされた表示情報グループを見やすくすることができる。
【００３６】
又、上記の入力表示装置１において、通信手段を介して外部装置を接続できるようにしてもよい。この場合には、表示情報グループを、通信手段を介して外部装置へ送信することができる。
【発明の効果】
【００３７】
本発明の入力表示装置１によれば、手書入力情報は、該入力情報に付与される識別情報に基づき、グループ化されて１つの表示情報グループとされる。
【００３８】
そのため、上記の入力表示装置１の表示装置における表示面の表示を記録媒体にプリントする際に、後述するように、表示情報グループ毎に、異なる記録媒体に記録することができる。従って、手書入力情報を、表示情報グループ毎に、容易に区別することが可能となると共に、手書入力情報における複数のコメントを、後述するように、参加者別に区別する等、手書入力情報のグループ化を、種々の観点から行うことができる。
【００３９】
又、入力表示装置１に、電子化された情報を入力する電子情報入力手段を備えると共に、該電子情報入力手段により入力された電子入力情報は、表示手段２の表示面に表示されると共に、該電子入力情報に対して、該電子入力情報を１つの表示情報グループにグループ化する識別情報が付与されるようにすることができる。
【００４０】
そのため、電子情報入力装置から入力される、例えば、上述した電子コンテンツのような文字及び画像情報を、独立した１つの表示情報グループとして取扱うことができる。従って、上述した電子コンテンツのような文字及び画像情報を、独立して印刷することができ、当該電子コンテンツの内容を明瞭に識別することができる。
【００４１】
又、手書入力情報に対して付与される識別情報は、該手書入力情報が入力される時点から最も近い過去の時点において、指定された識別情報が用いられるようにすることができる。或いは、手書入力情報に対して付与される識別情報は、該手書入力情報が入力された後に、最初に指定された識別情報が用いられるようにすることができる。そのため、識別情報の手書入力情報に対する付与を、場合に応じて最適にすることができる。
【００４２】
又、上述した識別情報の指定が用いられる場合、識別情報の指定は、予め、表示装置の表示面に表示された単又は複数の識別情報のいずれか１つに対して、タッチパネル入力装置でタッチ入力されることにより、行うことができる。そのため、識別情報の指定を、容易にすることができる。
【００４３】
又、手書入力情報に対して付与される識別情報は、あらかじめ定められた判断基準に基づいて、自動的に選択された識別情報が用いられるようにすることができる。そのため、識別情報を付与するための識別情報の指定を省略することができる。
【００４４】
又、入力表示装置１に、記録媒体として、記録用紙等の不透明な材質の不透明記録媒体と、ＯＨＰ紙等の透明な材質の透明記録媒体を収納していると共に、入力表示装置１の表示装置に表示される表示情報をプリントするプリント手段を備えることができる。
【００４５】
この場合には、表示情報グループが複数存在する場合に、表示情報グループを、表示情報グループ毎に異なる記録媒体にプリントすると共に、表示情報グループの内の、いずれか１つは、不透明記録媒体にプリントし、該いずれか１つ以外の残りの表示情報グループは、透明記録媒体にプリントするようにすることができる。
【００４６】
従って、プリント済の記録用紙等の不透明記録媒体の上に、複数毎のプリント済のＯＨＰ紙等の透明記録媒体を重ねて見ることができ、上記の入力表示装置１において表示されていた全体を、容易に再現することができる。
【発明を実施するための最良の形態】
【００４７】
次に、本発明の実施の形態における入力表示装置について、図面を参照しながら説明する。図２は、本発明の実施の形態における入力表示装置１０の外観図、図３は、この入力表示装置１０の構成を示したブロック図である。図２、及び、図３において、本実施の形態における入力表示装置１０は、ＣＰＵ１１、ＬＣＤ表示器１２、タッチパネル１３、キーボード１４、メモリ１５、ＨＤＤ１６、ＵＳＢ・Ｉ／Ｆ１７、ＬＡＮ・Ｉ／Ｆ１８、及び、プリンタ１９で構成される。尚、キーボード１４は、通常使用されず、必要な場合に、ケーブルで接続して使用される。
【００４８】
ＣＰＵ１１は、マイクロプロセッサで構成されていると共に、時計機能を備えており、任意の時点における時刻を取得することができる。メモリ１５は、ＲＡＭやフラッシュメモリ等で構成されている。ＨＤＤ１６には、入力表示装置１０を制御するのに必要なＯＳや各種の処理プログラム等のソフトウエアが格納されている。ＣＰＵ１１は、このメモリに搭載されたソフトウエアにより、入力表示装置１０における各種の処理を行う。
【００４９】
ＬＣＤ表示器１２は、入力表示装置１０へ入力された情報を表示する。タッチパネル１３は、タッチペン等を用いて文字や画像等の手書入力情報をタッチ入力する。このタッチパネル１３は、ＬＣＤ表示器１２の表示面の表示が透視可能に、このＬＣＤ表示器１２の表示面に重ねて設けられる。
【００５０】
又、タッチパネル１３で、タッチペン等を用いてタッチ入力された文字や画像等の手書入力情報は、ＬＣＤ表示器１２の表示面におけるタッチ入力された位置と略同位置に表示されるようになっている。
【００５１】
キーボード１４は、入力表示装置１０に対する各種の設定や、情報の入力に、必要に応じて用いられる。このキーボード１４は、上述したように通常使用されず、必要な場合に、ケーブルで接続して使用される。
【００５２】
ＵＳＢ・Ｉ／Ｆ１７は、ＵＳＢケーブルを用いて、外部装置と接続するためのインターフェイス回路である。この外部装置としては、ＦＤＤやＣＤドライブ、ＤＶＤドライブ等が用いられ、ＦＤやＣＤ、ＤＶＤ等に記録されている電子化された情報（電子情報）を、入力表示装置１０へ入力することができる。又、パソコンを、上記の外部装置として用いることもできる。
【００５３】
ＬＡＮ・Ｉ／Ｆ１８は、ＬＡＮに接続するためのインターフェイス回路である。このＬＡＮ・Ｉ／Ｆ１８は、有線ＬＡＮ、或いは、無線ＬＡＮのいずれにも対応することができる。このＬＡＮ・Ｉ／Ｆ１８を用いることにより、ＬＡＮを介してインターネットに接続することができる。そのため、ＬＡＮやインターネットに接続されたパソコン等の外部装置に対して、情報の送受信を行うことができる。
【００５４】
プリンタ１９は、入力表示装置１０のＬＣＤ表示器１２に表示された情報をプリントする。このプリンタ１９は、記録媒体として、不透明な材質の不透明記録媒体と、透明な材質の透明記録媒体を収納しており、これらの不透明記録媒体、及び、透明記録媒体のいずれに対してもプリント可能である。不透明記録媒体としては、一般的な記録用紙が用いられ、透明記録媒体としては、ＯＨＰ紙が用いられる。
【００５５】
尚、本発明の実施の形態における入力表示装置１０では、前述した表示手段は、ＬＣＤ表示器１２が該当し、タッチパネル入力手段は、タッチパネル１３が該当する。又、電子情報入力手段は、ＵＳＢ・Ｉ／Ｆ１７や、ＬＡＮ・Ｉ／Ｆ１８に接続されるＵＳＢケーブルやＬＡＮを介して接続されるパソコン等の外部装置、或いは、キーボード１４が該当する。
【００５６】
又、時刻取得手段は、ＣＰＵ１１に内蔵されている時計機能が該当する。プリント手段は、プリンタ１９が該当する。プリント関連情報入力手段は、タッチパネル１３が該当する。そして、通信手段は、ＵＳＢ・Ｉ／Ｆ１７やＬＡＮ・Ｉ／Ｆ１８が該当し、外部装置は、ＵＳＢ・Ｉ／Ｆ１７や、ＬＡＮ・Ｉ／Ｆ１８を介してＵＳＢケーブルやＬＡＮで接続されるパソコン等の外部装置が該当する。
【００５７】
上記の入力表示装置１０では、ＬＣＤ表示器１２に表示される表示情報を、単又は複数の表示レイヤに分けて、記憶、管理されている。この表示レイヤ（Ｌ）には、作成された順に、追番号（Ｌ０，Ｌ１，Ｌ２，Ｌ３，・・・）が付与される。第０レイヤ（Ｌ０）には、例えば、図４や図５に示すような入力表示装置１０に対する制御用のコマンドやメッセージ等の、識別情報として「制御情報」を表す識別情報が付与された情報が記憶されて、入力表示装置１０のＬＣＤ表示器１２に表示される。この内、制御用のコマンドは、枠で囲んで表示され、メッセージは、＜＞括弧で囲んで表示される。
【００５８】
制御用のコマンドは、タッチパネル１３におけるタッチペンによるタッチの対象であり、この制御用のコマンドにタッチすることにより、入力表示装置１０における制御動作が行なわれる。これに対して、メッセージは、単なる表示のみである。
【００５９】
又、ＬＣＤ表示器１２に表示される表示情報は、グループ化することができ、このグループ化された表示情報を、表示情報グループと称する。又、このグループ化された表示情報である表示情報グループは、上記の１つの表示レイヤに対して、１対１で対応している。又、上記の表示情報のグループ化は、識別情報に基づいて行われる。
【００６０】
このグループ化された表示情報である表示情報グループを記憶する表示レイヤを管理するために、入力表示装置１０のメモリ１５には、図１６に示すような表示レイヤ管理テーブルが設けられている。この表示レイヤ管理テーブルは、表示レイヤの追番号を記録する表示レイヤ欄と、当該表示レイヤ荷記憶される表示情報グループに付与されている識別情報を記録する識別情報欄と、付加情報を記録する付加情報欄とで構成されている。
【００６１】
又、上記の入力表示装置１０では、ＬＣＤ表示器１２に表示される表示情報は、電子入力情報と、手書入力情報の２種類がある。この内、電子入力情報は、上述したパソコン等の外部装置から、ＵＳＢ・Ｉ／Ｆ１７やＬＡＮ・Ｉ／Ｆ１８等を介して、入力される電子化された情報である。又、手書入力情報は、タッチパネル１３から、タッチペン等を用いて入力された文字や画像等の手書の情報である。
【００６２】
上記の電子入力情報も、手書入力情報も、上記のグループ化の対象となる。この表示情報のグループ化は、上述したように識別情報に基づいて行われる。即ち、電子入力情報も、手書入力情報も、入力表示装置１０に入力された時点で、識別情報が付与される。この付与された識別情報により、グループ化が行われる。
【００６３】
電子入力情報の場合は、この電子入力情報が上記の入力表示装置１０に入力されると、自動的に、１つの表示情報グループにグループ化される識別情報として、「電子情報」を表す識別情報が付与されて、１つの表示情報グループが形成される。
【００６４】
これに対して、手書入力情報に対しては、識別情報の付与方法としては、複数の方法が用いられている。即ち、上記の入力表示装置１０では、手書入力情報のグループ化の方法を示すグループ化モードとして、３つのモードが備えられている。この３つのグループ化モードは、「区切モード」、「入力者モード」、及び、「時間帯モード」である。識別情報の付与は、これらの各モードに対して、最適な方法が採用されており、各モード間で異なっている。
【００６５】
まず、「区切モード」は、識別情報として、時間経過の区切を表す識別情報を用いるグループ化モードである。この「区切モード」では、１つの識別情報が用いられ、この１つの識別情報を用いて、時間経過の区切を行う。この識別情報を、「タイムスタンプ」と称する。
【００６６】
この「区切モード」では、「タイムスタンプ」により時間経過の区切を行う毎に、手書入力情報に対して新たなグループ化が行われる。この場合、時間経過の区切を行う毎に、区切を行った時刻が、タイムスタンプ時刻として、表示情報グループにグループ情報として付与される。
【００６７】
この「区切モード」においては、手書入力情報が入力された後に、最初に指定された識別情報、即ち、「タイムスタンプ」が、入力された手書入力情報に付与されて、１つの表示情報グループにグループ化される。この場合における識別情報、即ち、「タイムスタンプ」の指定は、予め、入力表示装置１０のＬＣＤ表示器１２の表示面に表示された「タイムスタンプ」に対して、タッチパネル１３でタッチ入力することにより、行われる。
【００６８】
次に、「入力者モード」は、手書入力情報をタッチパネル１３から、タッチペン等を用いて入力する入力操作者毎に、手書入力情報に対してグループ化が行われるグループ化モードである。この入力操作者は、予め登録される。又、この「入力者モード」においては、識別情報は、この予め登録された入力操作者を表している。
【００６９】
この「入力者モード」においては、手書入力情報に対して付与される識別情報は、該手書入力情報が入力される時点から最も近い過去の時点において指定された識別情報が、入力された手書入力情報に付与されて、１つの表示情報グループにグループ化される。この場合における識別情報の指定は、予め、入力表示装置１０のＬＣＤ表示器１２の表示面に表示された単又は複数の「具体的な入力操作者名」のいずれか１つに対して、タッチパネル１３でタッチ入力することにより、行われる。
【００７０】
次に、「時間帯モード」は、あらかじめ定められた時間帯を表す判断基準に基づいて、自動的に選択された特定の時間帯を表す識別情報が、入力された手書入力情報に付与されて、１つの表示情報グループにグループ化が行われるグループ化モードである。この「時間帯モード」においては、識別情報は、特定の時間帯を表している。
【００７１】
この「時間帯モード」においては、上記の判断基準として、複数の識別情報と１対１で対応する複数の時間帯情報が予め登録され、手書入力情報が入力されると、手書入力情報の入力時刻が属する時間帯情報と対応する識別情報である「具体的な特定の時間帯」が、入力された手書入力情報に自動的に付与される。即ち、この識別情報の付与は、判断基準に基づいて、自動的に行われる。
【００７２】
次に、上記の入力表示装置１０の動作について説明する。入力表示装置１０では、「登録」、「実行」、「プリント」、「プリント設定」、「レイヤ表示」、及び、「レイヤ表示設定」の６つの動作モードが設けられている。
【００７３】
この内、「登録」は、上述した３つのグループ化モードの内、「入力者モード」、及び、「時間帯モード」における手書入力情報のグループ化を実行するのに必要な詳細情報を登録する動作モードである。尚、「区切モード」に対しては、「登録」を行う必要はない。「実行」は、「区切モード」、「入力者モード」、及び、「時間帯モード」における手書入力情報のグループ化を実行する動作モードである。
【００７４】
「プリント」は、グループ化モードに関係なく、上記の入力表示装置１０における表示情報を、プリンタ１９でプリントする動作モードである。「プリント設定」は、上記の「プリント」動作モードでプリントする際に必要な詳細情報を設定する動作モードである。そして、「レイヤ表示」は、個別のレイヤを表示させる動作モードであり、「レイヤ表示設定」は、上記の「レイヤ表示」動作モードでレイヤ表示する際に必要な詳細情報を設定する動作モードである。
【００７５】
入力表示装置１０の電源が投入されると、ＬＣＤ表示器１２の表示画面は、図４のようなメニューを表す＜メニュー＞画面になる。この＜メニュー画面＞には、コマンドとして、「区切モード」、「入力者モード」、「時間帯モード」の３つのグループ化モードと、「登録」、「実行」、「プリント」、「プリント設定」、「レイヤ表示」、及び、「レイヤ表示設定」の６つの動作モードが表示されている。
【００７６】
上記の中で、登録や設定を行うための動作モードでは、一旦なされた登録、又は、設定の後に、新たに登録、又は、設定が行われると、前の登録、又は、設定は消滅して、新たな登録、又は、設定が有効となる。
【００７７】
上記のメニュー画面から「登録」動作モードを実行するには、最初に、「入力者モード」、又は、「時間帯モード」のいずれかのグループ化モードのコマンドを選んで、タッチペンでタッチした後、「登録」コマンドにタッチペンでタッチする。
【００７８】
「実行」動作モードを実行するには、最初に、「区切モード」、「入力者モード」、又は、「時間帯モード」のいずれか１つのグループ化モードのコマンドを選んで、タッチペンでタッチした後、「実行」コマンドにタッチペンでタッチする。
【００７９】
「プリント」動作モード、又は、「プリント設定」動作モードを実行するには、グループ化モードのコマンドを選ぶ必要はなく、直接、「プリント」、又は、「プリント設定」のいずれかのコマンドにタッチペンでタッチする。又、「レイヤ表示」動作モード、又は、「レイヤ表示設定」動作モードを実行するには、グループ化モードのコマンドを選ぶ必要はなく、直接、「レイヤ表示」、又は、「レイヤ表示設定」のいずれかのコマンドにタッチペンでタッチする。
【００８０】
次に、上記の「区切モード」、「入力者モード」、「時間帯モード」の、３つのグループ化モードのコそれぞれに対する上記の入力表示装置１０の動作を、画面図を用いて説明する。
【００８１】
まず、「区切モード」グループ化モードについて、図４〜図１４の画面図を用いて説明する。入力表示装置１０の電源が投入されると、ＬＣＤ表示器１２の表示画面は、図４に示す、＜メニュー＞画面となる。
【００８２】
上述したように、「区切モード」グループ化モードでは、「登録」動作を行う必要がない。そこで、最初に、「区切モード」グループ化モードにおける「実行」動作モードについて、説明する。
【００８３】
この「区切モード」では、上述したように、「タイムスタンプ」により時間経過の区切を行う毎に、手書入力情報に対して新たなグループ化が行われる。この場合、時間経過の区切を行う毎に、区切を行った時刻が、タイムスタンプ時刻として、表示情報グループにグループ情報として付与される。
【００８４】
又、手書入力情報が入力された後に、最初に指定された「タイムスタンプ」が、入力された手書入力情報に付与されて、１つの表示情報グループにグループ化される。この場合における「タイムスタンプ」の指定は、予め、入力表示装置１０のＬＣＤ表示器１２の表示面に表示された「タイムスタンプ」に対して、タッチパネル１３でタッチ入力することにより、行われる。
【００８５】
上記の「区切モード」グループ化モードにおける「実行」動作モードは、次のようにして、行う。即ち、タッチペンで、図４の「区切モード」コマンドにタッチした後、「実行」コマンドにタッチすると、図５の＜区切モード＞画面になる。図５の画面において、「メニュー」コマンドは、図４のメニュー画面に戻るコマンドである。即ち、この「メニュー」コマンドにタッチすると、図４の＜メニュー＞画面に戻る。
【００８６】
又、図５の＜区切モード＞画面は、入力表示装置１０に対して、電子入力情報や、手書入力情報が入力されて表示がその都度変化しても、この区切モードを継続する間は、継続して表示される。即ち、図５の画面の「メニュー」コマンドにタッチペンでタッチしない限り、図５の＜区切モード＞画面の表示が継続される。
【００８７】
そこで、次に、まず、入力表示装置１０のＵＳＢ・Ｉ／Ｆ１７、又は、ＬＡＮ・Ｉ／Ｆ１８を介して接続されている外部装置のパソコンから、企画書の電子情報を入力表示装置１０へ送信して入力する。すると、この企画書の電子情報は、「電子情報」を表す識別情報が付与されて、第１レイヤ（Ｌ１）に、図１２に示すように記憶されると共に、入力表示装置１０のＬＣＤ表示器１２に、図６に示すように、表示される。
【００８８】
次に、入力表示装置１０のタッチパネル１３から、手書入力情報として、図７に示すような矢印をタッチ入力すると共に、このタッチ入力後の時点で、例えば、時刻が１０：０５の時点で、図５の画面の「タイムスタンプ」コマンドにタッチ入力する。すると、第２レイヤ（Ｌ２）に、図１３に示すように記憶されると共に、入力表示装置１０のＬＣＤ表示器１２に、図７に示すように、表示される。
【００８９】
次に、入力表示装置１０のタッチパネル１３から、手書入力情報として、図８に示す２重下線、及び、図９に示す楕円図形をタッチ入力すると共に、このタッチ入力後の時点で、例えば、時刻が１０：１０の時点で、図５の画面の「タイムスタンプ」コマンドにタッチ入力する。すると、第３レイヤ（Ｌ３）に、図１４に示すように記憶されると共に、入力表示装置１０のＬＣＤ表示器１２に、図９に示すように、表示される。
【００９０】
次に、さらに、入力表示装置１０のタッチパネル１３から、手書入力情報として、図１０に示す波下線、及び、図１１に示す２重矢印をタッチ入力すると共に、このタッチ入力後の時点で、例えば、時刻が１０：１５の時点で、図５の画面の「タイムスタンプ」コマンドにタッチ入力する。すると、第４レイヤ（Ｌ４）に、図１５に示すように記憶されると共に、入力表示装置１０のＬＣＤ表示器１２に、図１１に示すように、表示される。
【００９１】
上記の結果、図１３に示す第２レイヤ（Ｌ２）には、タイムスタンプ１０：０５までにタッチ入力された矢印が記憶される。又、図１４に示す第３レイヤ（Ｌ３）には、タイムスタンプ１０：１０までにタッチ入力された２重下線、及び、楕円が記憶される。又、図１５に示す第４レイヤ（Ｌ４）には、タイムスタンプ１０：１５までにタッチ入力された波線、及び、２重矢印が記憶される。
【００９２】
上記の場合、表示レイヤ管理テーブルは、図１６に示すようになる。この表示レイヤ管理テーブルには、各表示レイヤに付与されている識別情報と、タイムスタンプ時刻が記録されている。
【００９３】
そして、図１１に示す画面において、図５の画面の「メニュー」コマンドにタッチすると、再び、図４の＜メニュー＞画面に戻る。
【００９４】
次に、各レイヤに記憶されている表示情報を確認する「レイヤ表示」動作モード、及び、この「レイヤ表示」動作モードを行うのに必要な詳細情報を設定する「レイヤ表示設定」動作モードについて説明する。
【００９５】
各レイヤの表示内容を確認する場合は、図４の画面の「レイヤ表示設定」コマンドにタッチ入力すると、図１７の＜レイヤ表示設定＞画面になる。
【００９６】
＜レイヤ表示設定＞画面には、レイヤ番号入力欄とテンキーが表示されるので、このテンキーを用いてレイヤ表示を行うレイヤ番号を、タッチパネル１３からタッチ入力する。このレイヤ番号の入力後、図４の＜メニュー＞画面に戻る。
【００９７】
そして、さらに、図４の画面の「レイヤ表示」コマンドにタッチ入力すると、図１８の＜レイヤ表示＞画面になると同時に、設定されたレイヤが、ＬＣＤ表示器１２に表示される。上記のレイヤの表示の確認後、図５の画面の「メニュー」コマンドにタッチすると、再び、図４の＜メニュー＞画面に戻る。
【００９８】
次に、表示情報をプリント実行する「プリント」動作モード、及び、この「プリント」動作モードを行うのに必要な詳細情報を設定する「プリント設定」動作モードについて説明する。
【００９９】
図４の＜メニュー＞画面の「プリント設定」コマンドにタッチ入力すると、図１９の＜プリント設定＞画面になる。この図１９の＜プリント設定＞画面は、「プリント」コマンドでプリントする際の、詳細情報を設定する画面である。
【０１００】
図１９の＜プリント設定＞画面には、「全体画面プリント」、「全レイヤプリント」、「個別レイヤプリント」、及び、「レイヤ合体プリント」の４つの動作モードが表示されている。
【０１０１】
「全体画面プリント」は、複数のレイヤを全て重ねた状態の全体画面のプリントを行う動作モードである。「全レイヤプリント」は、複数のレイヤを、レイヤ毎に全てプリントする動作モードである。「個別レイヤプリント」は、個別のレイヤをプリントする動作モードである。又、「レイヤ合体プリント」は、いくつかのレイヤを合体してプリントする動作モードである。
【０１０２】
次に、上記の＜プリント設定＞画面における、「全体画面プリント」、「全レイヤプリント」、「個別レイヤプリント」、及び、「レイヤ合体プリント」の各コマンドによる動作と、＜プリント＞コマンドによる動作について説明する。
【０１０３】
図１９の＜プリント設定＞画面において、「全体画面プリント」コマンドをタッチ入力すると、「全体画面プリント」コマンドの右端の空欄にチェックマークが記録される。そこで、この設定が終了した後、図４の＜メニュー＞画面の戻った後で、この＜メニュー＞画面の「プリント」コマンドをタッチ入力すると、図２０に示す＜全体画面プリント＞画面が表示されると共に、プリンタ１９で複数のレイヤを全て重ねた状態の全体画面がプリントされる。上記の「区切モード」における例では、図１１に示す画面と同内容がプリントされる。
【０１０４】
図１９の＜プリント設定＞画面において、「全レイヤプリント」コマンドをタッチ入力すると、図２１に示す＜全レイヤプリント（設定）＞画面が表示される。この全レイヤプリントは、上述したように、複数のレイヤを、レイヤ毎に全てプリントする動作モードである。ただし、第０レイヤ（Ｌ０）は、入力表示装置１０の制御情報を記憶するのに用いられているので、第０レイヤ（Ｌ０）は、プリントされない。
【０１０５】
この複数のレイヤを、レイヤ毎に全てプリントする場合、いずれか１つのレイヤは、不透明記録媒体である記録用紙にプリントし、残りの全てのレイヤは、透明記録媒体であるＯＨＰ紙にプリントする。通常、電子入力情報が不透明記録媒体である記録用紙にプリントされる。
【０１０６】
このようにするのは、プリント済の不透明記録媒体である記録用紙等の上に、複数毎のプリント済の透明記録媒体であるＯＨＰ紙等のを重ねて、プリント結果を見ることができ、上記の入力表示装置１０において表示されていた全体を、容易に再現することができるからである。
【０１０７】
そこで、この「全レイヤプリント」では、不透明記録媒体である記録用紙にプリントするレイヤを選択する必要がある。そのため、図２１に示す上記の＜全レイヤプリント（設定）＞画面には、不透明レイヤ番号入力欄とテンキーが表示される。この不透明レイヤ番号とは、不透明記録媒体である記録用紙にプリントを行うレイヤのレイヤ番号である。
【０１０８】
そこで、表示されたテンキーを用いて、不透明記録媒体である記録用紙にプリントを行うレイヤ番号を、タッチパネル１３からタッチ入力する。
【０１０９】
上記の設定が終了した後、図４の＜メニュー＞画面の戻った後で、この＜メニュー＞画面の「プリント」コマンドをタッチ入力すると、図２２に示す＜全レイヤプリント（実行）＞画面が表示される。この＜全レイヤプリント（実行）＞画面には、不透明レイヤ番号が表示されており、この不透明レイヤ番号のレイヤについては、不透明記録媒体である記録用紙にプリントされ、第０レイヤ（Ｌ０）を除く残りのレイヤは、レイヤ番号順に、透明記録媒体であるＯＨＰ紙にプリントされる。上記の「区切モード」における例では、図１２〜図１５に示す画面と同内容がプリントされる。この場合、一般的には、企画書の情報を記憶している第１レイヤ（Ｌ１）が、不透明記録媒体である記録用紙にプリントされる。
【０１１０】
図１９の＜プリント設定＞画面において、「個別レイヤプリント」コマンドをタッチ入力すると、図２３に示す＜個別レイヤプリント（設定）＞画面が表示される。この＜個別レイヤプリント（設定＞画面には、レイヤ番号入力欄とテンキーが表示されるので、このテンキーを用いてプリントを行うレイヤ番号を、タッチパネル１３からタッチ入力する。
【０１１１】
又、図２３の＜個別レイヤプリント（設定）＞画面には、当該レイヤをプリントする記録媒体として、不透明記録媒体である記録用紙を用いるか否かを選択するために、「不透明」コマンドが表示されている。そこで、この「不透明」コマンドをタッチ入力すると、この「不透明」コマンドの右端の空欄にチェックマークが記録され、当該レイヤをプリントする記録媒体が、不透明記録媒体である記録用紙となる。「不透明」コマンドをタッチ入力しなければ、当該レイヤをプリントする記録媒体は、透明記録媒体であるＯＨＰ紙となる。
【０１１２】
又、図２３の＜個別レイヤプリント（設定）＞画面には、「太幅プリント」、「細幅プリント」、及び、「付加プリント」の３つのコマンドが表示されている。この内のいずれか１つを選択することができが、選択しなくてもよい。
【０１１３】
「太幅プリント」コマンドをタッチ入力すると、プリントされる表示情報を構成する文字や画像の線が、オリジナルな状態よりも太くプリントされる。又、同様に、「細幅プリント」コマンドをタッチ入力すると、プリントされる表示情報を構成する文字や画像の線が、オリジナルな状態よりも細くプリントされる。
【０１１４】
又、「付加プリント」コマンドをタッチ入力すると、上述した表示レイヤ管理テーブルの付加情報が、記録媒体の余白にプリントされる。例えば、上記の上記の「区切モード」グループ化モードの場合、記録媒体の余白に、付加情報としてタイムスタンプの時刻がプリントされる。
【０１１５】
上記の設定が終了した後、図４の＜メニュー＞画面の戻った後で、この＜メニュー＞画面の「プリント」コマンドをタッチ入力すると、図２４に示す＜個別レイヤプリント（実行）＞画面が表示される。この＜個別レイヤプリント（実行）＞画面には、レイヤ番号と、プリントする記録媒体が、不透明な記録媒体である記録用紙と、透明な記録媒体であるＯＨＰ紙のいずれであるかが、表示される。この表示は、記録用紙の場合は＜不透明＞、ＯＨＰ紙の場合は＜透明＞と表示される。そして、表示されているレイヤ番号のレイヤが、記録用紙又はＯＨＰ紙のいずれか表示されている記録媒体にプリントされる。
【０１１６】
又、この＜個別レイヤプリント（実行）＞画面に、＜太幅プリント＞、＜細幅プリント＞、又は、＜付加プリント＞のいずれかが表示されていると、その処理が、プリントの際に行われる。上記の「区切モード」における例では、例えば、プリントを行うレイヤ番号として、第３レイヤ（Ｌ３）、又、記録媒体として、透明が設定されていると、図１４に示す画面と同内容が、ＯＨＰ紙にプリントされる。
【０１１７】
図１９の＜プリント設定＞画面において、「レイヤ合体プリント」コマンドをタッチ入力すると、図２５に示す＜レイヤ合体プリント（設定）＞画面が表示される。この＜レイヤ合体プリント（設定）＞画面には、合体プリントする複数のレイヤ番号入力欄とテンキーが表示されるので、このテンキーを用いて合体プリントを行うレイヤ番号を、タッチパネル１３からタッチ入力する。
【０１１８】
又、図２５の＜レイヤ合体プリント（設定）＞画面には、当該レイヤをプリントする記録媒体として、不透明記録媒体である記録用紙を用いるか否かを選択するために、「不透明」コマンドが表示されている。そこで、この「不透明」コマンドをタッチ入力すると、この「不透明」コマンドの右端の空欄にチェックマークが記録され、当該レイヤをプリントする記録媒体が、不透明記録媒体である記録用紙となる。「不透明」コマンドをタッチ入力しなければ、当該レイヤをプリントする記録媒体は、透明記録媒体であるＯＨＰ紙となる。
【０１１９】
上記の設定が終了した後、図４の＜メニュー＞画面の戻った後で、この＜メニュー＞画面の「プリント」コマンドをタッチ入力すると、図２６に示す＜レイヤ合体プリント（実行）＞画面が表示される。この＜レイヤ合体プリント（実行）＞画面には、合体プリントする複数のレイヤ番号と、プリントする記録媒体が、不透明な記録媒体である記録用紙と、透明な記録媒体であるＯＨＰ紙のいずれであるかが、表示される。この表示は、記録用紙の場合は＜不透明＞、ＯＨＰ紙の場合は＜透明＞と表示される。そして、表示されている複数のレイヤ番号のレイヤが、記録用紙又はＯＨＰ紙のいずれか表示されている記録媒体に合体してプリントされる。
【０１２０】
上記の各プリント画面において、「メニュー」コマンドにタッチすると、図４の＜メニュー＞画面に戻る。
【０１２１】
次に、「入力者モード」グループ化モードについて、図４、図４〜図３９の画面図を用いて説明する。「入力者モード」グループ化モードでは、「実行」動作モードに先だって、「登録」動作モードを行う必要がある。そこで、最初に、「入力者モード」グループ化モードにおける「登録」動作モードについて、説明する。
【０１２２】
「入力者モード」グループ化モードは、上述したように、手書入力情報をタッチパネル１３から、タッチペン等を用いて入力する入力操作者毎に、手書入力情報に対してグループ化が行われるグループ化モードである。そこで、この入力操作者を、予め登録するのが、「入力者モード」グループ化モードにおける「登録」動作モードである。
【０１２３】
図４の＜メニュー＞画面において、タッチペンで、「入力者モード」コマンドにタッチした後、「登録」コマンドにタッチすると、図２７の＜入力者モード（登録）＞画面になる。
【０１２４】
図２７の＜入力者モード（登録）＞画面では、入力操作者（入力者）を入力するための入力欄が表示されている。図２７の画面において、「キャンセル」コマンドは、上記の入力欄の入力をキャンセルするコマンドである。又、「メニュー」コマンドは、図４のメニュー画面に戻るコマンドである。
【０１２５】
そこで、タッチペンにより、具体的な入力操作者（入力者）の名前や略号等を入力する。ここでは、具体的な入力操作者（入力者）として、Ａ、Ｂ、及び、Ｃが入力されたものとする。入力操作者（入力者）の入力後、図２７の＜入力者モード（登録）＞画面の「メニュー」コマンドにタッチすると、図４の＜メニュー＞画面に戻る。
【０１２６】
次に、「入力者モード」グループ化モードにおける「実行」動作モードについて、説明する。この「入力者モード」においては、上述したように、手書入力情報に対して付与される識別情報は、該手書入力情報が入力される時点から最も近い過去の時点において指定された識別情報が、入力された手書入力情報に付与されて、１つの表示情報グループにグループ化される。この場合における識別情報の指定は、予め、入力表示装置１０のＬＣＤ表示器１２の表示面に表示された単又は複数の「具体的な入力操作者名」のいずれか１つに対して、タッチパネル１３でタッチ入力することにより、行われる。
【０１２７】
上記の「入力者モード」グループ化モードにおける「実行」動作モードは、次のようにして、行う。即ち、タッチペンで、図４の「入力者モード」コマンドにタッチした後、「実行」コマンドにタッチすると、図２８の＜入力者モード（実行）＞画面になる。図２８の＜入力者モード（実行）＞画面には、入力操作者（入力者）として、「Ａ」、「Ｂ」、及び、「Ｃ」が、コマンドの形で表示されている。又、図２８の画面において、「メニュー」コマンドは、図４のメニュー画面に戻るコマンドである。即ち、この「メニュー」コマンドにタッチすると、図４の＜メニュー＞画面に戻る。
【０１２８】
又、図２８の＜入力者モード（実行）＞画面は、入力表示装置１０に対して、電子入力情報や、手書入力情報が入力されて表示がその都度変化しても、この入力者モードを継続する間は、継続して表示される。即ち、図２８の画面の「メニュー」コマンドにタッチペンでタッチしない限り、図２８の＜入力者モード（実行）＞画面の表示が継続される。
【０１２９】
そこで、次に、「区切モード」グループ化モードにおけるのと同様、まず、入力表示装置１０のＵＳＢ・Ｉ／Ｆ１７、又は、ＬＡＮ・Ｉ／Ｆ１８を介して接続されている外部装置のパソコンから、企画書の電子情報を入力表示装置１０へ送信して入力する。すると、この企画書の電子情報は、「電子情報」を表す識別情報が付与されて、第１レイヤ（Ｌ１）に、図３５に示すように記憶されると共に、入力表示装置１０のＬＣＤ表示器１２に、図２９に示すように、表示される。
【０１３０】
次に、入力操作者（入力者）Ａが、入力表示装置１０のタッチパネル１３から、手書入力情報を入力する。この際、図２８の＜入力者モード（実行）＞画面の「Ａ」コマンドにタッチペンでタッチした後、図３０に示す「＊１」マークをタッチ入力する。すると、第２レイヤ（Ｌ２）に、図３６に示すように「＊１」マークが記憶されると共に、入力表示装置１０のＬＣＤ表示器１２に、図３０に示すように、表示される。
【０１３１】
同様にして、次に、入力操作者（入力者）Ｂが、入力表示装置１０のタッチパネル１３から、手書入力情報として、図２８の＜入力者モード（実行）＞画面の「Ｂ」コマンドにタッチペンでタッチした後、図３１に示す下線をタッチ入力する。すると、第３レイヤ（Ｌ２）に、図３７に示すように下線が記憶されると共に、入力表示装置１０のＬＣＤ表示器１２に、図３１に示すように、表示される。
【０１３２】
さらに、次に、入力操作者（入力者）Ａが、入力表示装置１０のタッチパネル１３から、手書入力情報として、図２８の＜入力者モード（実行）＞画面の「Ａ」コマンドにタッチペンでタッチした後、図３２に示す「＊２」マークをタッチ入力する。すると、第２レイヤ（Ｌ２）に、図３７に示すように「＊２」マークが記憶されると共に、入力表示装置１０のＬＣＤ表示器１２に、図３２に示すように、表示される。
【０１３３】
次に、入力操作者（入力者）Ｃが、入力表示装置１０のタッチパネル１３から、手書入力情報として、図２８の＜入力者モード（実行）＞画面の「Ｃ」コマンドにタッチペンでタッチした後、図３３に示す波線をタッチ入力する。すると、第４レイヤ（Ｌ４）に、図３８に示すように「波線」マークが記憶されると共に、入力表示装置１０のＬＣＤ表示器１２に、図３３に示すように、表示される。
【０１３４】
次に、入力操作者（入力者）Ｂが、入力表示装置１０のタッチパネル１３から、手書入力情報として、図２８の＜入力者モード（実行）＞画面の「Ｂ」コマンドにタッチペンでタッチした後、図３４に示す２重丸をタッチ入力する。すると、第３レイヤ（Ｌ３）に、図３７に示すように２重丸が記憶されると共に、入力表示装置１０のＬＣＤ表示器１２に、図３４に示すように、表示される。
【０１３５】
上記の結果、図３６に示す第２レイヤ（Ｌ２）には、入力操作者（入力者）Ａによりタッチ入力された「＊１」マーク、及び、「＊２」マークが記憶される。又、図３７に示す第３レイヤ（Ｌ３）には、入力操作者（入力者）Ｂによりタッチ入力された下線、及び、２重丸が記憶される。又、図３８に示す第４レイヤ（Ｌ４）には、入力操作者（入力者）Ｃによりタッチ入力された波線が記憶される。
【０１３６】
上記の場合、表示レイヤ管理テーブルは、図３９に示すようになる。この表示レイヤ管理テーブルには、各表示レイヤに付与されている識別情報と、入力者名が記録されている。
【０１３７】
そして、図３４に示す画面において、図５の画面の「メニュー」コマンドにタッチすると、再び、図４の＜メニュー＞画面に戻る。
【０１３８】
上記の「入力者モード」グループ化モードにおいて、「レイヤ表示」、「レイヤ表示設定」、「プリント」、及び、「プリント設定」の各動作モードについては、上述した「区切モード」グループ化モードにおけるのと、同じであるので、説明を省略する。
【０１３９】
次に、「時間帯モード」グループ化モードについて、図４、図４０〜図５２の画面図を用いて説明する。「時間帯モード」グループ化モードでは、「実行」動作モードに先だって、「登録」動作モードを行う必要がある。そこで、最初に、「時間帯モード」グループ化モードにおける「登録」動作モードについて、説明する。
【０１４０】
「時間帯モード」グループ化モードは、上述したように、あらかじめ定められた時間帯を表す判断基準に基づいて、自動的に選択された特定の時間帯を表す識別情報が、入力された手書入力情報に付与されて、１つの表示情報グループにグループ化が行われるグループ化モードである。そこで、この入力操作者を、予め登録するのが、「入力者モード」グループ化モードにおける「登録」動作モードである。
【０１４１】
図４の＜メニュー＞画面において、タッチペンで、「時間帯モード」コマンドにタッチした後、「登録」コマンドにタッチすると、図４０の＜時間帯モード（登録）＞画面になる。
【０１４２】
図４０の＜時間帯モード（登録）＞画面では、時間帯を入力するための入力欄が表示されている。図４０の画面において、「キャンセル」コマンドは、上記の入力欄の入力をキャンセルするコマンドである。又、「メニュー」コマンドは、図４のメニュー画面に戻るコマンドである。
【０１４３】
そこで、タッチペンにより、開始欄に具体的な開始時刻を、終了欄に具体的な終了時刻入力して、時間帯の入力をする。ここでは、具体的な時間帯として、１３：００〜１３：３０、１３：３０〜１４：００、及び、１４：００〜１４：３０の３つの時間帯が入力されたものとする。時間帯の入力後、図４０の＜時間帯モード（登録）＞画面の「メニュー」コマンドにタッチすると、図４の＜メニュー＞画面に戻る。
【０１４４】
次に、「時間帯モード」グループ化モードにおける「実行」動作モードについて、説明する。この「時間帯モード」においては、上記の判断基準として、上記のように複数の時間帯情報が予め登録され、手書入力情報が入力されると、手書入力情報の入力時刻が属する時間帯情報と対応する識別情報である具体的な特定の時間帯が、入力された手書入力情報に自動的に付与される。即ち、この識別情報の付与は、判断基準に基づいて、自動的に行われる。
【０１４５】
上記の「時間帯モード」グループ化モードにおける「実行」動作モードは、次のようにして、行う。即ち、タッチペンで、図４の「時間帯モード」コマンドにタッチした後、「実行」コマンドにタッチすると、図４１の＜時間帯モード（実行）＞画面になる。図４１の画面において、「メニュー」コマンドは、図４のメニュー画面に戻るコマンドである。即ち、この「メニュー」コマンドにタッチすると、図４の＜メニュー＞画面に戻る。
【０１４６】
又、図４１の＜時間帯モード（実行）＞画面は、入力表示装置１０に対して、電子入力情報や、手書入力情報が入力されて表示がその都度変化しても、この入力者モードを継続する間は、継続して表示される。即ち、図４１の画面の「メニュー」コマンドにタッチペンでタッチしない限り、図４１の＜時間帯モード（実行）＞画面の表示が継続される。
【０１４７】
そこで、次に、「入力者モード」グループ化モードにおけるのと同様、まず、入力表示装置１０のＵＳＢ・Ｉ／Ｆ１７、又は、ＬＡＮ・Ｉ／Ｆ１８を介して接続されている外部装置のパソコンから、企画書の電子情報を入力表示装置１０へ送信して入力する。すると、この企画書の電子情報は、「電子情報」を表す識別情報が付与されて、第１レイヤ（Ｌ１）に、図４８に示すように記憶されると共に、入力表示装置１０のＬＣＤ表示器１２に、図４２に示すように、表示される。
【０１４８】
次に、入力表示装置１０のタッチパネル１３から、手書入力情報として、図４３に示す２重下線が入力される。この際に、この２重下線が入力された時刻が取得されると共に、この時刻が属する時間帯が、上記で登録された時間帯のいずれであるかが、判定される。この時間帯が、１３：００〜１３：３０であると、第２レイヤ（Ｌ２）に、図４９に示すように２重下線が記憶されると共に、入力表示装置１０のＬＣＤ表示器１２に、図４３に示すように、表示される。
【０１４９】
同様にして、次に、入力表示装置１０のタッチパネル１３から、手書入力情報として、図４４に示す矢印が入力される。この際に、この矢印が入力された時刻が取得されると共に、この時刻が属する時間帯が、上記で登録された時間帯のいずれであるかが、判定される。この時間帯が、１３：００〜１３：３０であると、第２レイヤ（Ｌ２）に、図４９に示すように矢印が記憶されると共に、入力表示装置１０のＬＣＤ表示器１２に、図４４に示すように、表示される。
【０１５０】
さらに、次に、入力表示装置１０のタッチパネル１３から、手書入力情報として、図４５に示す波線が入力される。この際に、この波線が入力された時刻が取得されると共に、この時刻が属する時間帯が、上記で登録された時間帯のいずれであるかが、判定される。この時間帯が、１３：３０〜１４：００であると、第３レイヤ（Ｌ３）に、図５０に示すように波線が記憶されると共に、入力表示装置１０のＬＣＤ表示器１２に、図４５に示すように、表示される。
【０１５１】
次に、入力表示装置１０のタッチパネル１３から、手書入力情報として、図４６に示す２重波線が入力される。この際に、この２重波線が入力された時刻が取得されると共に、この時刻が属する時間帯が、上記で登録された時間帯のいずれであるかが、判定される。この時間帯が、１４：００〜１４：３０であると、第４レイヤ（Ｌ４）に、図５１に示すように２重波線が記憶されると共に、入力表示装置１０のＬＣＤ表示器１２に、図４６に示すように、表示される。
【０１５２】
次に、入力表示装置１０のタッチパネル１３から、手書入力情報として、図４７に示す２重矢印が入力される。この際に、この２重矢印が入力された時刻が取得されると共に、この時刻が属する時間帯が、上記で登録された時間帯のいずれであるかが、判定される。この時間帯が、１４：００〜１４：３０であると、第４レイヤ（Ｌ４）に、図５１に示すように２重矢印が記憶されると共に、入力表示装置１０のＬＣＤ表示器１２に、図４７に示すように、表示される。
【０１５３】
上記の結果、図５０に示す第２レイヤ（Ｌ２）には、時間帯１４：００〜１４：３０にタッチ入力された２重下線、及び、矢印が記憶される。又、図５１に示す第３レイヤ（Ｌ３）には、時間帯１４：００〜１４：３０にタッチ入力された波線が記憶される。又、図５１に示す第４レイヤ（Ｌ４）には、時間帯１４：００〜１４：３０にタッチ入力された２重波線、及び、２重矢印が記憶される。
【０１５４】
上記の場合、表示レイヤ管理テーブルは、図５２に示すようになる。この表示レイヤ管理テーブルには、各表示レイヤに付与されている識別情報と、時間帯が記録されている。
【０１５５】
そして、図４７に示す画面において、図５の画面の「メニュー」コマンドにタッチすると、再び、図４の＜メニュー＞画面に戻る。
【０１５６】
上記の「時間帯モード」グループ化モードにおいて、「レイヤ表示」、「レイヤ表示設定」、「プリント」、及び、「プリント設定」の各動作モードについては、上述した「区切モード」グループ化モードにおけるのと、同じであるので、説明を省略する。
【０１５７】
上記の入力表示装置１０によれば、上述したように、手書入力情報は、該入力情報に付与される識別情報に基づき、グループ化されて１つの表示情報グループとされる。そのため、上記の入力表示装置１０のＬＣＤ表示器１２における表示面の表示を記録媒体にプリントする際に、表示情報グループ毎に、異なる記録媒体に記録することができる。従って、手書入力情報を、表示情報グループ毎に、容易に区別することが可能となると共に、手書入力情報における複数の情報を、参加者別に区別する等の手書入力情報のグループ化を行うことができる。
【０１５８】
又、上記の実施の形態における「区切モード」においては、手書入力情報が入力された後に、最初に指定された「タイムスタンプ」が、入力された手書入力情報に付与されて、１つの表示情報グループにグループ化される。
【０１５９】
しかし、逆に、手書入力情報に対して付与される識別情報が、該手書入力情報が入力される時点から最も近い過去の時点において指定された「タイムスタンプ」が、入力された手書入力情報に付与されて、１つの表示情報グループにグループ化されるようにしてもよい。
【０１６０】
又、上記の実施の形態における「入力者モード」においては、上述したように、手書入力情報に対して付与される識別情報は、該手書入力情報が入力される時点から最も近い過去の時点において指定された識別情報が、入力された手書入力情報に付与されて、１つの表示情報グループにグループ化される。
【０１６１】
しかし、逆に、手書入力情報に対して付与される識別情報が、手書入力情報が入力された後に、最初に指定された識別情報が、入力された手書入力情報に付与されて、１つの表示情報グループにグループ化されるようにしてもよい。
【０１６２】
又、上記の実施の形態における入力表示装置１０において、該入力表示装置１０の表示情報を、ＵＳＢ・Ｉ／Ｆ１７やＬＡＮ・Ｉ／Ｆ１８に接続されているパソコン等の外部装置へ送信することができる。又、これらのパソコン等の外部装置に接続、或いは、備えられているプリンタに対して、上述したと同様にして、プリントすることができる。
【０１６３】
又、上記のＵＳＢ・Ｉ／Ｆ１７やＬＡＮ・Ｉ／Ｆ１８には、外部装置として、独立した複写機やデジタル複合機等も、接続することができ、これらの複写機やデジタル複合機等に対して、上記の実施の形態における入力表示装置１０の表示情報を送信して、上述したと同様にして、プリントすることができる。
【図面の簡単な説明】
【０１６４】
【図１】本発明の入力表示装置の基本構成を示したブロック図である。
【図２】本実施の形態における入力表示装置の外観図である。
【図３】本実施の形態における入力表示装置の構成を示したブロック図である。
【図４】本実施の形態における入力表示装置の＜メニュー＞画面図である。
【図５】本実施の形態における入力表示装置の＜区切モード＞画面図である。
【図６】本実施の形態における入力表示装置の「区切モード」における表示画面図（その１）である。
【図７】本実施の形態における入力表示装置の「区切モード」における表示画面図（その２）である。
【図８】本実施の形態における入力表示装置の「区切モード」における表示画面図（その３）である。
【図９】本実施の形態における入力表示装置の「区切モード」における表示画面図（その４）である。
【図１０】本実施の形態における入力表示装置の「区切モード」における表示画面図（その５）である。
【図１１】本実施の形態における入力表示装置の「区切モード」における表示画面図（その６）である。
【図１２】本実施の形態における入力表示装置の「区切モード」における第１レイヤの画面図である。
【図１３】本実施の形態における入力表示装置の「区切モード」における第２レイヤの画面図である。
【図１４】本実施の形態における入力表示装置の「区切モード」における第３レイヤの画面図である。
【図１５】本実施の形態における入力表示装置の「区切モード」における第４レイヤの画面図である。
【図１６】本実施の形態における入力表示装置の「区切モード」における表示レイヤ管理テーブル図である。
【図１７】本実施の形態における入力表示装置の＜レイヤ表示設定＞画面図である。
【図１８】本実施の形態における入力表示装置の＜レイヤ表示＞画面図である。
【図１９】本実施の形態における入力表示装置の＜プリント設定＞画面図である。
【図２０】本実施の形態における入力表示装置の＜全体画面プリント＞画面図である。
【図２１】本実施の形態における入力表示装置の＜全レイヤプリント（設定）＞画面図である。
【図２２】本実施の形態における入力表示装置の＜全レイヤプリント（実行）＞画面図である。
【図２３】本実施の形態における入力表示装置の＜個別レイヤプリント（設定）＞画面図である。
【図２４】本実施の形態における入力表示装置の＜個別レイヤプリント（実行）＞画面図である。
【図２５】本実施の形態における入力表示装置の＜レイヤ合体プリント（設定）＞画面図である。
【図２６】本実施の形態における入力表示装置の＜レイヤ合体プリント（実行）＞画面図である。
【図２７】本実施の形態における入力表示装置の＜入力者モード（設定）＞画面図である。
【図２８】本実施の形態における入力表示装置の＜入力者モード（実行）＞画面図である。
【図２９】本実施の形態における入力表示装置の「入力者モード」における表示画面図（その１）である。
【図３０】本実施の形態における入力表示装置の「入力者モード」における表示画面図（その２）である。
【図３１】本実施の形態における入力表示装置の「入力者モード」における表示画面図（その３）である。
【図３２】本実施の形態における入力表示装置の「入力者モード」における表示画面図（その４）である。
【図３３】本実施の形態における入力表示装置の「入力者モード」における表示画面図（その５）である。
【図３４】本実施の形態における入力表示装置の「入力者モード」における表示画面図（その６）である。
【図３５】本実施の形態における入力表示装置の「入力者モード」における第１レイヤの画面図である。
【図３６】本実施の形態における入力表示装置の「入力者モード」における第２レイヤの画面図である。
【図３７】本実施の形態における入力表示装置の「入力者モード」における第３レイヤの画面図である。
【図３８】本実施の形態における入力表示装置の「入力者モード」における第４レイヤの画面図である。
【図３９】本実施の形態における入力表示装置の「入力者モード」における表示レイヤ管理テーブル図である。
【図４０】本実施の形態における入力表示装置の＜時間帯モード（設定）＞画面図である。
【図４１】本実施の形態における入力表示装置の＜時間帯モード（実行）＞画面図である。
【図４２】本実施の形態における入力表示装置の「時間帯モード」における表示画面図（その１）である。
【図４３】本実施の形態における入力表示装置の「時間帯モード」における表示画面図（その２）である。
【図４４】本実施の形態における入力表示装置の「時間帯モード」における表示画面図（その３）である。
【図４５】本実施の形態における入力表示装置の「時間帯モード」における表示画面図（その４）である。
【図４６】本実施の形態における入力表示装置の「時間帯モード」における表示画面図（その５）である。
【図４７】本実施の形態における入力表示装置の「時間帯モード」における表示画面図（その６）である。
【図４８】本実施の形態における入力表示装置の「時間帯モード」における第１レイヤの画面図である。
【図４９】本実施の形態における入力表示装置の「時間帯モード」における第２レイヤの画面図である。
【図５０】本実施の形態における入力表示装置の「時間帯モード」における第３レイヤの画面図である。
【図５１】本実施の形態における入力表示装置の「時間帯モード」における第４レイヤの画面図である。
【図５２】本実施の形態における入力表示装置の「時間帯モード」における表示レイヤ管理テーブル図である。
【符号の説明】
【０１６５】
１  入力表示装置
２  表示手段
３  タッチパネル入力手段
１０  入力表示装置
１１  ＣＰＵ
１２  ＬＣＤ表示器
１３  タッチパネル
１４  キーボード
１５  メモリ
１６  ＨＤＤ
１７  ＵＳＢ・Ｉ／Ｆ
１８  ＬＡＮ・Ｉ／Ｆ
１９  プリンタ
【図１】
2009187218.tif 000003
【図２】
2009187218.tif 000004
【図３】
2009187218.tif 000005
【図４】
2009187218.tif 000006
【図５】
2009187218.tif 000007
【図６】
2009187218.tif 000008
【図７】
2009187218.tif 000009
【図８】
2009187218.tif 000010
【図９】
2009187218.tif 000011
【図１０】
2009187218.tif 000012
【図１１】
2009187218.tif 000013
【図１２】
2009187218.tif 000014
【図１３】
2009187218.tif 000015
【図１４】
2009187218.tif 000016
【図１５】
2009187218.tif 000017
【図１６】
2009187218.tif 000018
【図１７】
2009187218.tif 000019
【図１８】
2009187218.tif 000020
【図１９】
2009187218.tif 000021
【図２０】
2009187218.tif 000022
【図２１】
2009187218.tif 000023
【図２２】
2009187218.tif 000024
【図２３】
2009187218.tif 000025
【図２４】
2009187218.tif 000026
【図２５】
2009187218.tif 000027
【図２６】
2009187218.tif 000028
【図２７】
2009187218.tif 000029
【図２８】
2009187218.tif 000030
【図２９】
2009187218.tif 000031
【図３０】
2009187218.tif 000032
【図３１】
2009187218.tif 000033
【図３２】
2009187218.tif 000034
【図３３】
2009187218.tif 000035
【図３４】
2009187218.tif 000036
【図３５】
2009187218.tif 000037
【図３６】
2009187218.tif 000038
【図３７】
2009187218.tif 000039
【図３８】
2009187218.tif 000040
【図３９】
2009187218.tif 000041
【図４０】
2009187218.tif 000042
【図４１】
2009187218.tif 000043
【図４２】
2009187218.tif 000044
【図４３】
2009187218.tif 000045
【図４４】
2009187218.tif 000046
【図４５】
2009187218.tif 000047
【図４６】
2009187218.tif 000048
【図４７】
2009187218.tif 000049
【図４８】
2009187218.tif 000050
【図４９】
2009187218.tif 000051
【図５０】
2009187218.tif 000052
【図５１】
2009187218.tif 000053
【図５２】
2009187218.tif 000054